(57)【要約】      （修正有）【課題】簡単な構成で所望のしなりや書き味が得られる筆記具を提供する。【解決手段】筆記部１０とインク収容部とを一体に設けたリフィルを軸筒１６内に収容した筆記具に係り、リフィルの前方側は、未筆記時においては軸筒内面と離間し、一方、筆記時は筆記荷重により軸筒内面と当接する。【選択図】図２
2014205239.tif 000002
【特許請求の範囲】
【請求項１】
筆記部とインク収容部とを一体に設けたリフィルを軸筒内に収容した筆記具において、
リフィルの前方側は、未筆記時において軸筒内面と離間し、筆記時において筆記荷重により軸筒内面と当接するものであることを特徴とする筆記具。
【請求項２】
リフィルと当接する軸筒内面は、インク収容部よりも軟質であることを特徴とする請求項１に記載の筆記具。
【請求項３】
リフィルと当接する軸筒内面はゴム弾性材料で形成されていることを特徴とする請求項１又は２に記載の筆記具。
【請求項４】
軸筒内面にはリフィルと当接する複数のリブが形成されていることを特徴とする請求項１から３いずれか１項記載の筆記具。
【請求項５】
軸筒は、ゴム弾性材料と硬質材料による多色成形で形成されていることを特徴とする請求項３又は４に記載の筆記具。
【請求項６】
リフィルと軸筒内面が当接する筆記条件は、筆記荷重３Ｎ以下、筆記面に対する筆記部の角度が６０度であることを特徴とする請求項１から５のうちのいずれか１項に記載の筆記具。
【請求項７】
軸筒の先端部と途中部に当接面が内面向きに形成され、筆記時にリフィルと当接面の少なくとも２箇所で当接することを特徴とする請求項１から６のうちのいずれか１項に記載の筆記具。
【請求項８】
ノック式ボールペンであることを特徴とする請求項１から７のうちのいずれか１項に記載の筆記具。
【発明の詳細な説明】
【技術分野】
【０００１】
本発明は、リフィルの適切な曲がりを確保して書き味の向上が図れる筆記具に関する。
【背景技術】
【０００２】
従来、先端に筆記部のあるリフィルが軸筒に固定された又はノック式のリフィルの筆記具において、リフィルの筆記部の外径よりわずかに大径の軸筒の先端孔から筆記部を突出又は出没させていた。
【０００３】
そのような構成の筆記具では、リフィルの筆記部と軸筒の先端孔との隙間によって、筆記時にガタツキが生じる。そのようなガタツキを防止するため、実開平５−８５６８３号公報（：特許文献１）、実開平５−９３８８４号公報（：特許文献２）、実開平６−５７６８９号公報（：特許文献３）に記載のように、当該隙間に弾性リングを設けた筆記具が提案されている。
【０００４】
また、特開２００９-２９７９１３号公報（：特許文献４）では、筆記部の先端のチップホルダーが合成樹脂製であって、チップホルダーを前軸内で規制部の押し付け量を変化させてリフィルのたわみ量を変化させるようにしたボールペンが提案されている。
【０００５】
また、特開２００５−１４５０３２号公報（：特許文献５）では、筆記具前方の軸部分が筆圧に応じて撓むようにして筆圧を使用者に認識させるようにした筆記具が提案されている。
【０００６】
また、特開２０１０−２６４６３８号公報（：特許文献６）では、口金体が軸本体に対して傾動するようにして、しなりが感じられて書き味が得られる筆記具が提案されている。
【先行技術文献】
【特許文献】
【０００７】
【特許文献１】実開平５−８５６８３号公報
【特許文献２】実開平５−９３８８４号公報
【特許文献３】実開閉６−５７６８９号公報
【特許文献４】特開２００９-２９７９１３号公報
【特許文献５】特開２００５−１４５０３２号公報
【特許文献６】特開２０１０−２６４６３８号公報
【発明の概要】
【発明が解決しようとする課題】
【０００８】
しかしながら、前述の従来技術では、特許文献１〜３では、筆圧の係るリフィルをＯ（オー）リング等の弾性部材で受け、また、特許文献４の筆記具では、尾栓を回転させてリフィル-の規制距離を変え、特許文献５の筆記具では前端の軸部分が筆圧で曲がるようにし、特許文献６の筆記具では、口金本体の弾性体を介して軸筒に装着し口金本体の曲がりで筆記部にしなりを得るようにしている。
【０００９】
いずれの従来技術でもリフィルの筆記部に適切なしなりが得にくく弾性部材を装着する等するので通常の筆記具に比較して構成が複雑になる問題がある。
【００１０】
本発明は、斯かる実情に鑑み、簡単な構成で所望のしなりや書き味が得られる筆記具を提供しようとするものである。
【課題を解決するための手段】
【００１１】
本発明は、筆記部とインク収容部とを一体に設けたリフィルを軸筒内に収容した筆記具において、
リフィルの前方側は、未筆記時において軸筒内面と離間し、筆記時において筆記荷重により軸筒内面と当接するものであることを特徴とする筆記具である。
本発明において、未筆記時におけるリフィル外面と軸筒内面との間隙を、筆記時に筆記荷重により軸筒内面に最初に当たる位置よりも後方側を大きくしたことが好適である。
【００１２】
また、本発明において、リフィルと当接する軸筒内面は、インク収容部よりも軟質であることが好適である。
ここで挙げる軟質とは材質のみならず、蛇腹による外観等、形状によって撓みやすくすることも含まれる。
【００１３】
本発明においては、リフィルと当接する軸筒内面はゴム弾性材料で形成されていることが好適である。
また、軸筒内面にはリフィルと当接する複数のリブが形成されていることが好適である。
また、ゴム弾性材料は、軸筒内面と軸筒外面の把持部に形成されていることが好適である。
【００１４】
また、本発明において、軸筒は、ゴム弾性材料と硬質材料による多色成形で形成されていることが好適である。ここで挙げる多色成形とは、二色成形等、同一の設備内で複数の金型、材料を組み合わせて形成することを示す。
【００１５】
本発明において、当接する筆記条件は、筆記荷重３Ｎ以下、筆記面に対する筆記部の角度が６０度であることが好適である。上記の筆記条件でリフィルと軸筒内面が当接することで、良好な筆記感を得ることができる。なお、筆記荷重とは、リフィル先端の筆記部が紙等の筆記面に接触する部分にかかる荷重のことを示す。
【００１６】
また、本発明において、軸筒の先端部と途中部に当接面が内面向きに形成され、筆記時に筆記荷重によりリフィルが当接面に少なくとも２箇所で当接するようにしたことが好適である。
【００１７】
本発明において、前記リフィルが先端の筆記部の外径よりも本体部のインク収容部の外径が大きく形成されていることが好適である。
【００１８】
また、本発明において、ノック式ボールペンであることが好適である。
【発明の効果】
【００１９】
本発明の筆記具によれば、リフィルの前方側は未筆記時においては軸筒内面と離間し、筆記時は筆記荷重により軸筒内面と当接するものであるので、筆記時にリフィルがしなり好適な筆記感を与えることができるという優れた効果を奏し得る。
【図面の簡単な説明】
【００２０】
【図１】本発明の第１実施形態に係る筆記具の非ノック時の説明図で、（ａ）が一側面図、（ｂ）が（ａ）と同状態での全体の縦断面、（ｃ）が（ａ）から９０度回転させた他側面図、（ｄ）が（ｃ）と同状態での縦断面図である。
【図２】図１の筆記具においてノック時の説明図で、（ａ）が一側面図、（ｂ）が（ａ）と同状態での全体の縦断面、（ｃ）が（ａ）から９０度回転させた他側面図、（ｄ）が（ｃ）と同状態での縦断面図である。
【図３】図１の筆記具において先軸の説明図で、（ａ）が前方からの斜視図、（ｂ）が前方視図、（ｃ）が側面図、（ｄ）が（ｃ）と同状態の縦断面、（ｅ）が（ｃ）から９０度回転させた他側面図、（ｆ）が（ｅ）と同状態での縦断面図，（ｇ）が後方からの斜視図、（ｈ）が後方視図である。
【図４】図１の筆記具において捩じり継手の説明図で、（ａ）が前方視図、（ｂ）が前方からの斜視図、（ｃ）が側面図、（ｄ）が（ｃ）と同状態の縦断面、（ｅ）が（ｃ）から９０度回転させた他側面図、（ｆ）が（ｅ）と同状態での縦断面図，（ｇ）が後方視図、（ｈ）が後方からの斜視図である。
【図５】図１の筆記具においてノック時の非筆記状態における先軸周辺の説明図で、（ａ）が縦断面図、（ｂ）がＭ−Ｍ線に沿う横断図、（ｃ）がＬ−Ｌ線に沿う横断図である。
【図６】図１の筆記具においてノック時の筆記状態における先軸周辺の作動説明図で、図５の（ａ）のＬ−Ｌ線に沿う横断面図である。
【図７】本発明の第２実施形態に係る筆記具の非ノック時の説明図で、（ａ）が一側面図、（ｂ）が（ａ）から９０度回転させた他側面図、（ｃ）が（ｂ）と同状態での縦断面図である。
【図８】図７の筆記具においてノック時の説明図で、（ａ）が一側面図、（ｂ）が（ａ）から９０度回転させた他側面図、（ｃ）が（ｂ）と同状態での縦断面図である。
【図９】図７の筆記具において先軸の説明図で、（ａ）が前方からの斜視図、（ｂ）が前方視図、（ｃ）が側面図、（ｄ）が（ｃ）と同状態の縦断面、（ｅ）が（ｃ）から９０度回転させた他側面図、（ｆ）が（ｅ）と同状態での縦断面図，（ｇ）が後方からの斜視図、（ｈ）が後方視図である。
【図１０】図７の筆記具においてノック時の非筆記状態における先軸周辺の説明図で、（ａ）が縦断面図、（ｂ）がＫ−Ｋ線に沿う横断図、（ｃ）がＰ−Ｐ線に沿う横断図である。
【図１１】図７の筆記具のノック時における筆記時の作動説明図で、図１０の（ａ）のＰ−Ｐ線に沿う横断面図である。
【図１２】本発明の第３実施形態に係る筆記具の説明図で、（ａ）が非ノック時の側面図、（ｂ）が（ａ）と同状態での全体の縦断面、（ｃ）がノック時の側面図、（ｄ）が（ｃ）と同状態での全体の縦断面、（ｅ）が（ｆ）のＪ−Ｊ線に沿う横断面図、（ｆ）が（ｅ）の横断位置の説明図である。
【図１３】図１２の筆記具において口金の説明図で、（ａ）が前方視図、（ｂ）が側面図、（ｃ）が（ｂ）と同状態の縦断面、（ｄ）が後方視図である。
【図１４】本発明の第４実施形態に係る筆記具の非ノック時の説明図で、（ａ）が一側面図、（ｂ）が（ａ）と同状態での全体の縦断面、（ｃ）が（ａ）から９０度回転させた他側面図、（ｄ）が（ｃ）と同状態での縦断面図である。
【図１５】図１４の筆記具においてノック時の説明図で、（ａ）が一側面図、（ｂ）が（ａ）と同状態での全体の縦断面、（ｃ）が（ａ）から９０度回転させた他側面図、（ｄ）が（ｃ）と同状態での縦断面図、（ｅ）がＱ−Ｑ線に沿う横断面図である。
【図１６】図１４の筆記具の内筒の説明図で、（ａ）が前方からの斜視図、（ｂ）が前方視図、（ｃ）が側面図、（ｄ）が（ｃ）と同状態の縦断面、（ｅ）が後方からの斜視図、（ｆ）が後方視図である。
【図１７】図１４の筆記具においてノック棒の説明図で、（ａ）が前方からの斜視図、（ｂ）が前方視図、（ｃ）が一側面図、（ｄ）が（ｃ）と同状態の縦断面、（ｅ）が（ｃ）から９０度回転させた他側面図、（ｆ）が（ｅ）と同状態での縦断面図、（ｇ）が後方からの斜視図、（ｈ）が後方視図である。
【図１８】図１４の筆記具において回転子の説明図で、（ａ）が前方からの斜視図、（ｂ）が前方視図、（ｃ）が一側面図、（ｄ）が（ｃ）と同状態の縦断面、（ｅ）が（ｃ）から９０度回転させた他側面図、（ｆ）が（ｅ）と同状態での縦断面図、（ｇ）が後方からの斜視図、（ｈ）が後方視図である。
【図１９】図１４の筆記具において捩じり継手の説明図で、（ａ）が前方からの斜視図、（ｂ）が前方視図、（ｃ）が一側面図、（ｄ）が（ｃ）と同状態の縦断面、（ｅ）が後方からの斜視図、（ｆ）が後方視図である。
【図２０】本発明の第５実施形態に係る筆記具のキャップを外した状態の説明図で、（ａ）が一側面図、（ｂ）が（ａ）と同状態での全体の縦断面である。
【図２１】図２０の筆記具において継手の説明図で、（ａ）が前方からの斜視図、（ｂ）が一側面図、（ｃ）が（ｂ）と同状態の縦断面、（ｄ）が後方視図である。
【図２２】本発明の第６実施形態に係る筆記具のノック時の説明図で、（ａ）が一側面図、（ｂ）が（ａ）と同状態での全体の縦断面、（ｃ）が（ａ）から９０度回転させた他側面図、（ｄ）が（ｃ）と同状態での縦断面図である。
【図２３】図２２の筆記具において先軸の説明図で、（ａ）が前方からの斜視図、（ｂ）が前方視図、（ｃ）が側面図、（ｄ）が（ｃ）と同状態の縦断面、（ｅ）が（ｃ）から９０度回転させた他側面図、（ｆ）が（ｅ）と同状態での縦断面図，（ｇ）が後方からの斜視図、（ｈ）が後方視図である。
【図２４】図２２の筆記具において捩じり継手の説明図で、（ａ）が前方視図、（ｂ）が前方からの斜視図、（ｃ）が側面図、（ｄ）が（ｃ）と同状態の縦断面、（ｅ）が（ｃ）から９０度回転させた他側面図、（ｆ）が（ｅ）と同状態での縦断面図，（ｇ）が後方視図、（ｈ）が後方から斜視図である。
【図２５】本発明の第７実施形態に係る筆記具の捩じり継手の説明図で、（ａ）が前方からの斜視図、（ｂ）が側面図、（ｃ）が（ｂ）と同状態の縦断面、（ｄ）が（ｂ）から９０度回転させた他側面図、（ｅ）が（ｄ）と同状態での縦断面図，（ｆ）が後方からの斜視図である。
【図２６】本発明の第８実施形態に係る筆記具の捩じり継手の説明図で、（ａ）が前方からの斜視図、（ｂ）が前方視図、（ｃ）が一側面図、（ｄ）が（ｃ）と同状態の縦断面、（ｅ）が（ｃ）から９０度回転させた他側面図、（ｆ）が（ｅ）と同状態での縦断面図、（ｇ）が後方からの斜視図、（ｈ）が後方視図である。
【図２７】本発明の第９実施形態に係る筆記具の捩じり継手の説明図で、（ａ）が前方視図、（ｂ）が後方からの斜視図、（ｃ）が一側面図、（ｄ）が（ｃ）と同状態の縦断面、（ｅ）が後方視図である。
【図２８】本発明の第１０実施形態に係る筆記具の捩じり継手の説明図で、（ａ）が前方からの斜視図、（ｂ）が側面図、（ｃ）が（ｂ）と同状態の縦断面、（ｄ）が（ｂ）から９０度回転させた他側面図、（ｅ）が（ｄ）と同状態での縦断面図，（ｆ）が後方からの斜視図である。
【図２９】本発明の第１１実施形態に係る筆記具の捩じり継手の説明図で、（ａ）が前方からの斜視図、（ｂ）が側面図、（ｃ）が（ｂ）と同状態の縦断面、（ｄ）が（ｂ）から９０度回転させた他側面図、（ｅ）が（ｄ）と同状態での縦断面図，（ｆ）が後方からの斜視図である。
【図３０】本発明の第１２実施形態に係る筆記具の全体説明図であって、(ａ)がノック時の側面図、（ｂ）が同縦断面図、（ｃ）が同筆記具の非ノック時の側面図、（ｄ）が同縦断面図である。
【図３１】同筆記具の捩じり継手の説明図であって、（ａ）が前方からの視図、（ｂ）が側面図、（ｃ）が（ｂ）と同状態の縦断面、（ｄ）が（ｂ）から９０度回転させた他側面図、（ｅ）が（ｄ）と同状態での縦断面図、（ｆ）が後方からの視図である。
【図３２】捩じり継手に装着する回転駆動部の説明図であって、（ａ）が前方からの斜視図、（ｂ）が前方からの視図、（ｃ）が側面図、（ｄ）が後方からの斜視図、（ｅ）が後方からの視図である。
【図３３】本発明の原理を説明する図で、（ａ）がリフィルがしなり筆記部の先端が傾動する状態の説明図、（ｂ）が各部の摩擦力の説明図である。
【図３４】リフィルがその軸方向のみに進退動する場合の筆記部の説明図である。
【図３５】リフィルがその軸中心に回転運動する場合の説明図で、（ａ）が筆記部を縦断させた説明図、（ｂ）がボールの受け座における説明図である。
【図３６】リフィルがスティックスリップによるインクの筆記軌跡の説明図で、（ａ）が従来品Ａ、（ｂ）が第１〜第６実施形態品、（ｃ）が従来品Ｂ、（ｄ）が第６、第９〜図１２実施形態品、（ｅ）が第１、第４、第６〜第８実施形態品の各筆記軌跡の説明図である。
【発明を実施するための形態】
【００２１】
以下、本発明の実施形態について添付図面を参照して説明する。
（第１実施形態）
【００２２】
まず、本発明の第１実施形態に係る筆記具について図１〜図６を参照して説明する。
【００２３】
図１は筆記具の非ノック時の説明図、図２はノック時の説明図、図３が該筆記具の先軸の説明図、図４が該筆記具の捩じり継手の説明図、図５が該筆記具のノック時の非筆記状態における先軸周辺の説明図、図６が該筆記具の筆記状態における先軸周辺の作動説明図である。
【００２４】
第１実施形態に係る筆記具は、図１に示すように、筆記部１０とインク収容部１２とを一体に設けたリフィル１４を軸筒１６内に収容した筆記具に係るものである。
【００２５】
リフィル１４の前方側は、未筆記時においては軸筒１６内面と離間し、一方、筆記時は筆記荷重により軸筒１６内面と当接するものである。
【００２６】
詳しくは、中空の軸筒１６は、中央部から先の先軸２０と、中央部から後ろの後軸２２とが互いに螺合して着脱自在に連結されたものであり、一体の軸筒１６を構成している。
【００２７】
先軸２０の先端部内面に段部２０ｂが形成され、この段部２０ｂにスプリング２４が係止して先軸２０内に装着されている。このスプリング２４でリフィル１４が後方に向け付勢されている。
【００２８】
リフィル１４は、先端の筆記部１０の外径よりも本体部のインク収容部１２の外径が大きく形成されている。リフィル１４の先端の筆記部１０はボールペンチップであり、リフィル１４の後端にノック棒２６が設けられた、ノック式ボールペンの筆記具となっている。
【００２９】
リフィル１４のインク収容部１２の周囲には、捩じり継手２８と、その後部に対向して設けた前面が平坦な捩じり継手受け体３０が外装される。
【００３０】
後軸２２の後端部内に内筒３２が嵌着・固定され、この内筒３２内に、捩じり継手受け体３０の後端に当接するノック用の回転子３４が装着される。
【００３１】
内筒３２の先端に軸方向に長・短の切り欠き３２ａが周方向に配列され形成されている。また、ノック用の回転子３４の先端外周に突起３４ａが外径方向に突出形成される。
【００３２】
捩じり継手受け体３０と後軸２２との間でそれらに形成されたフランジ突起間にノック用のスプリング３６が介装されており、スプリング３６によって、回転子３４とノック棒２６が軸筒１６（後軸２２）に対して後方に付勢されている。
【００３３】
筆記時に、使用者のノック操作において、ノック棒２６への押圧によって回転子３４を介してリフィル１４が先方に移動すると、押圧解除で回転子３４先端外周の突起３４ａが内筒３２の先端切り欠き３２ａの短いものに嵌って、リフィル１４の筆記部１０突出状態（筆記時状態）を維持する。
【００３４】
一方、筆記終了時、再度の使用者のノック操作において、ノック棒２６への押圧によって、回転子３４先端外周の突起３４ａが、内筒３２の先端切り欠き３２ａの短いものから外れて、回転し、押圧解除で長い先端切り欠きに３２ａに嵌って、リフィル１４の筆記部１０が没入出状態（非筆記時状態）を維持する。
【００３５】
各部を詳細に説明する。
（リフィル１４）
リフィル１４においては、先端の筆記部１０は、継手３８を介してインク収容部１２先端に連結されている。第１実施形態の場合、筆記部１０が本体の先端にボール１０ａを設けたボールペンチップであり、内部のインク流路にボール１０ａを押す内装スプリング１０ｂが設けられている。
【００３６】
そして、筆記部１０の本体が概略筒状であり、後端が開口して内装スプリングが後方に突出している。
【００３７】
継手３８は概略中空筒状であって、内径が軸方向中央部で細径になり、その細径の部分に内装スプリング１０ｂ後端が当接・支持される。また、継手３８の後端部が段状に拡径して、内筒と外筒からなる二重筒構造となり、後端部の二重筒構造が樹脂管のインク収容部１２の先端部に内外に包むように装着されている。
【００３８】
この後端部以外の筆記部１０の外径は、筆記部１０よりも大径で、かつ、インク収容部１２の外径よりも小径に形成されて、段状に拡径している。スプリング２４が継手３８に外装されて、スプリング２４の先端が上記した先軸２０の段部２０ｂに、後端が継手３８の段状に拡径した部分に当たり、スプリング２４によってリフィル１４を後方に付勢している。
【００３９】
（先軸２０）
先軸２０は、図３に示すように、内部本体２０ａが硬質樹脂材であり、外周面のゴム弾性材料が覆う把持部１８になっている。先軸２０の後端部の外周に雄ネジが形成され、後端縁から先方に雄ネジの開始部及び１周分を横切って切り欠き２０ｃが切り込み形成されている。切り欠き２０ｃで後軸２２の割れを防止できる。
【００４０】
また、先軸２０においては、図３に詳細に示すように、内部本体２０ａの先端部が側面に複数の窓が開いている。また、図３、図５に詳細に示すように、把持部１８のゴム弾性材が内部本体２０ａ先端部よりも先に形成され、上記窓から内側に突出している（図５参照）。
【００４１】
ゴム弾性材の把持部１８が内部本体２０ａの先端部よりも先に形成されているので、この把持部１８が先軸２０先端を形成し、また、内側に突出しており、図５（ｂ）に示すように、筆記時に、筆記部１０外周と先軸２０先端内周との隙間が小さく、図５（ｃ）に示すように、未筆記時におけるリフィル１４外面と軸筒１６内面との間隙が大きく、筆記時に筆記荷重により軸筒１６内面に最初に当たる位置よりも後方側を大きくしたものになっている。
【００４２】
また、リフィル１４と当接する先軸２０内面はゴム弾性材料で形成されている。ゴム弾性材料は、先軸２０外面の把持部１８に形成されており、先軸２０内面にも突出形成されている。
【００４３】
このように、軸筒１６における先軸２０先端部と途中部にゴム弾性材料が内面向きに形成され、筆記時に筆記荷重によりリフィル１４が軸筒１６の先端部と途中部でゴム弾性材料に当接するようにしたものである。
【００４４】
このように、この先軸２０は、ゴム弾性材料の把持部１８と硬質材料からなる内部本体２０ａとの二色成形で形成されている。二色成形が好適であるが、他に、別成形のものを接着、嵌合等により一体化する製法でも良い。
【００４５】
把持部１８のゴム弾性材は材質が熱可塑性エラストマー、天然ゴム、合成ゴム等の各種材料を好適に使用できる。また、内部本体２０ａの硬質材料はＡＢＳ、ＰＣ、ＰＢＴ、ＰＰ、ＰＥＴ、ＰＭＭＡ（アクリル樹脂）、ＣＯＣ（環状オレフィン樹脂）等の樹脂材が好適に使用できる。
【００４６】
当接する筆記条件は、荷重３Ｎ以下、筆記面に対する筆記部の角度が６０度に設定することができる。
【００４７】
（捩じり継手２８）
捩じり継手２８は、図１、図２に示すように、軸筒１６内でリフィル１４に外装された中空軸状部材であり、捩じり継手２８の先端面がリフィル１４の継手３８（外筒状部）の後端面に当接する位置に配置されている。捩じり継手２８は、図４に示すように、硬質樹脂材製の中空筒状の本体の先端が平坦に形成され、該本体の後端にゴム弾性材からなる回転駆動部４０が設けられている。回転駆動部４０は、櫛状に複数の柱部分が後方向きに突出形成されていて、各柱部分が周方向に斜めにカットされている。この回転駆動部４０は、別成形して、後に、捩じり継手２８の本体に一体化したものである。しかしながら、回転駆動部４０の弾性が確保できれば、捩じり継手２８の本体と回転駆動部４０とを同材質で一体成形しても良い。
【００４８】
第１実施形態の筆記具によれば、非筆記時には、図１に示すようにリフィル１４が軸筒１６内に収まっている。筆記部１０が先端から外部に突出していない状態である。リフィル１４の前方側(筆記部１０）は、未筆記時において軸筒１６内面と離間している。
【００４９】
そして、筆記をしようとするときには、ノック棒２６へノック操作によって、図２に示すようにリフィル１４が軸筒１６内で先方に移動して、筆記部１０が先端から外部に突出した状態になる。
【００５０】
リフィル１４の前方側の筆記部１０は、筆記しないときには図５に示すように、リフィル１４が押圧されないので曲がらず、筆記部１０と継手３８とは軸筒１６内面と離間している。
【００５１】
そして、筆記時は、筆圧を加わりその筆記荷重によりリフィル１４が軸筒１６内面と先端が当接し後端が可動でき、しなるものである。具体的には、筆記部１０は軸筒１６先端の開口との間隙が軸筒１６内部と継手３８との間隙よりも狭いので、筆記部１０が先に軸筒１６先端に当たり継手３８が把持部１８の内側ゴム弾性材に当たるまでしなる。したがって、実施形態の筆記具では、筆記時にリフィル１４がしなり好適な筆記感を与えることができる。
【００５２】
また、筆記部１０に筆圧を加えたときにリフィル１４が後方に押圧されると、捩じり継手２８が後退し捩じり継手受け体３０先端に当たって、捩じり継手２８の回転駆動によってリフィル１４が回転し筆記部１０先端が滑らかな筆記感を得ることができる。
このリフィルの回転による作用効果については後に詳細に説明する。
【００５３】
次に、第２実施形態に係る筆記具について、図７〜図１１を参照して説明する。
【００５４】
図７は第２実施形態に係る筆記具の非ノック時の説明図、図８は該筆記具のノック時の説明図、図９は該筆記具の先軸の説明図、図１０は該筆記具のノック時の非筆記状態における先軸周辺の説明図、図１１は、該筆記具のノック時における筆記時の作動説明図で、図１０（ａ）のＰ−Ｐ線に沿う横断面図である。
【００５５】
図７〜図１１に示す第２実施形態の筆記具では、第１実施形態と同様部分に同様符号を付している。
【００５６】
この第２実施形態に係る筆記具では、図７、図８に示すように、軸筒１６は主要部が一体であり、軸筒１６先端にゴム弾性材料と硬質材料による二色成形で形成されて口金（先端口部材）４２を設けたものである。ゴム弾性材料からなる把持部１８は、外面に滑り止めの凹凸がデザインされて、軸筒１６の先方部の外周に形成されている。
【００５７】
また、軸筒１６内に、第１実施形態の筆記具が備えた捩じり継手２８、捩じり継手受け体３０が設けられてはいない。したがって、筆記時に筆圧を掛けた際にリフィル１４がしなるが回転はしないものである。
【００５８】
なお、リフィル１４はボールペンチップの筆記部１０が継手３８でインク収容部１２の先端に設けられている。
【００５９】
また、軸筒１６後端に嵌着された内筒３２には、衣服ポケット等に筆記具を固定するためのクリップ４４が内筒３２の側部に形成されている。
【００６０】
（口金４２）
口金４２について図９によって詳しく説明する。
【００６１】
口金４２は、全体が中空略円錐形状を呈し、硬質樹脂材の本体４２ａの先端を覆うようにゴム弾性材からなる先端部４２ｂが設けられる。
【００６２】
口金４２は、本体４２ａの後部内に雌ネジが形成されていて、この雌ネジが軸筒１６先端の雄ネジに螺合する構造になっている。本体４２ａは、後部の雌ネジの形成部から先方に向けて弁状に延びた部分を複数有している。その弁状の部分内周には、リフィル１４の継手３８先端が当接して係止するために複数のリブ４２ｃが内向きに突出形成されている。なお、リブ４２ｃは３箇所以上の等間隔に配設していることが好ましい。
【００６３】
口金４２において、図９、図１０に示すように、先端部４２ｂは、前記本体４２ａの雌ネジ形成部外周から、弁状に延びた部分の間から先端に位置してゴム弾性材を配設して形成している。弾性材料の先端部４２ｂと硬質材料による本体４２ａとの二色成形で形成されている。
【００６４】
第２実施形態の筆記具によれば、非筆記時には、図７に示すようにリフィル１４が軸筒１６内に収まっている。筆記部１０が先端から外部に突出していない状態である。リフィル１４の前方側(筆記部１０）は、未筆記時において軸筒１６内面と離間している。
【００６５】
そして、筆記をしようとするときには、ノック棒２６へノック操作によって、図８に示すようにリフィル１４が軸筒１６内で先方に移動して、筆記部１０が口金４２先端から外部に突出した状態になる。
【００６６】
リフィル１４の前方側の筆記部１０は、筆記しないときには図１０に示すように、リフィル１４が押圧されないので曲がらず、筆記部１０は口金４２の先端部４２ｂと内接するが、継手３８と口金４２内面のリブ４２ｃとは離間している。
【００６７】
そして、筆記時は、筆圧が加わりその筆記荷重によりリフィル１４の筆記部１０が口金４２の先端部４２ｂが当接した状態で、後端側の継手３８が可動でき、しなるものである。具体的には、筆記部１０は口金４２先端部４２ｂの開口との間隙が内部のリブ４２ｃと継手３８との間隙よりも狭いので、筆記部１０が先に軸筒１６先端に当たり、図１１に示すように、継手３８がリブ４２ｃに当たるまでしなる。
【００６８】
したがって、第２実施形態の筆記具では、筆記時にリフィル１４がしなり好適な筆記感を与えることができる。
その他の作用効果は第１実施形態と同様である。
【００６９】
（第３実施形態）
次に、第３実施形態に係る筆記具について、図１２〜図１３を参照して説明する。
【００７０】
図１２は本発明の第３実施形態に係る筆記具の説明図、図１３は図１２の筆記具における口金の説明図である。
【００７１】
図１２〜図１３の第３実施形態の筆記具では、第２実施形態と同様部分に同様符号を付している。
【００７２】
第３実施形態では、口金４６が第２実施形態の口金４２と外観形状がほぼ同じであるが、硬質樹脂材料からなる本体４６ａが先後にわたり形成され、本体４６ａ内部に先端よりの箇所のゴム弾性材料からなるＯ（オー）リング等の環状弾性材４６ｂを配置したものである。リブ４６ｃが中央部に、後方に雌ネジが形成されている点は第２実施形態の口金と同じである。
【００７３】
この第３実施形態の筆記具によれば、非筆記時には、図１２（ａ）、（ｂ）に示すようにリフィル１４が軸筒１６内に収まっている。リフィル１４の前方側(筆記部１０）は、未筆記時において軸筒１６内面と離間している。
【００７４】
そして、筆記をしようとするときには、ノック棒２６へノック操作によって、図１２（ｃ）、（ｄ）に示すようにリフィル１４が軸筒１６内で先方に移動して、筆記部１０が口金４６先端から外部に突出した状態になる。
【００７５】
突出状態の筆記部１０は、口金４６先端開口との間に間隙がある。
【００７６】
筆記時は、筆圧が加わりその筆記荷重によりリフィル１４の継手３８外周が口金４６内の環状弾性材４６ｂに当接した状態で、後端側の継手３８がリブ４６ｃとの間に間隙を有するので、リフィル１４がしなるものである。具体的には、口金４６内で環状弾性材４６ｂと継手３８との間隙が内部のリブ４６ｃと継手３８との間隙よりも狭いので、継手３８が先に軸筒１６先端の口金４６に当たり、継手３８がリブ４６ｃに当たるまでしなる。
【００７７】
したがって、第３実施形態の筆記具では、筆記時にリフィル１４がしなり好適な筆記感を与えることができる。
【００７８】
また、口金４６の本体４６ａが一体的に形成して、内部に環状弾性材４６ｂを装着すれば良いため、成形か簡単で標準品も使い易くコストダウンが図れる。
【００７９】
（第４実施形態）
次に、第４実施形態に係る筆記具について、図１４〜図１９を参照して説明する。
【００８０】
図１４は第４実施形態に係る筆記具の非ノック時の説明図、図１５は該筆記具のノック時の説明図、図１６は該筆記具の内筒の説明図、図１７は該筆記具のノック棒の説明図、図１８は該筆記具の回転子の説明図、図１９は該筆記具の捩じり継手５２の説明図である。
【００８１】
図１４〜図１９の第４実施形態の筆記具では、第１実施形態と同様部分に同様符号を付している。
【００８２】
第４実施形態に係る筆記具は、図１４に示すように、筆記部１０とインク収容部１２とを一体に設けたリフィル１４を軸筒１６内に収容した筆記具に係るものである。リフィル１４は第１実施形態のものと同様である。
【００８３】
リフィル１４の前方側は、未筆記時においては軸筒１６内面と離間し、一方、筆記時は筆記荷重により軸筒１６内面と当接するものである。
【００８４】
そして、第４実施形態では、中空の軸筒１６内に、中央部から先に先軸４８が嵌入し、軸筒１６の先端部に内側に螺合した筒状の先軸受け４８ａによって先軸４８が軸筒１６内に固定される。先軸受け４８ａ内周に口金５０が挿入されて、口金５０後端が先軸４８内周に螺合している。先軸４８の後端は平坦に形成され、その後端に当接して捩じり継手５２に装着されている。
【００８５】
口金５０の先端部内面に段部が形成され、この段部にスプリング（図示省略）が軸筒１６内に装着されている。このスプリングでリフィル１４が後方に向け付勢されている。
【００８６】
リフィル１４の先端の筆記部１０はボールペンチップであり、リフィル１４の後端に後記のノック棒５８が設けられた、ノック式ボールペンの筆記具となっているが、リフィル１４を進退動させるノック機構が第１実施形態と異なり、カーンノック式のものとなっている。
【００８７】
このノック機構は、軸筒１６内周の先軸４８内でインク収容部１２の外周に接した筒状の回転子５４と、回転子５４の後端部に外装・配設された内筒５６がカム接合する。
【００８８】
この内筒５６後端面に接して、前記の捩じり継手５２が配設される。
【００８９】
また、回転子５４の後端に当接するノック棒５８がインク収容部１２の外周に接して配置される。
【００９０】
軸筒１６内には、捩じり継手５２の後端に対向して捩じり継手受け６０が、軸筒後端に螺合によって固定して配設される。
【００９１】
軸筒１６の後端には、ノックボタン６２が突出しており、ノックボタン６２を後端に設け、先端に前記ノック棒５８が接続された接続部材６４が、前記捩じり継手受け６０内で進退動可能に設けられている。捩じり継手受け６０の内周には、接続部材６４の周囲に位置してノック棒５８の回転を止める回転止めリング６６が配置されている。
【００９２】
ここで、前記内筒５６は、図１６に示すように、内周面に先端向きに長・短に溝が切り込まれたカム溝５６ａが形成された概略筒状体である。
【００９３】
前記ノック棒５８は、図１７に示すように、先端部に外周に複数のカム突起５８ａが形成され、先端面にカム斜面５８ｂの凹凸が形成された概略筒状体である。
【００９４】
前記回転子５４は、図１８に示すように、後端面にカム斜面５４ａの凹凸が形成された概略者筒状体である。
【００９５】
なお、ノック機構においては、カーンノック式である。ノック操作においては、前記内筒５６内に、回転子５４後端部と、ノック棒５８前端部が嵌り込んで、各カムがかみ合っており、ノックボタン６２の操作によって、接続部材６４でノック棒５８が前進すると、ノック棒５８のカム突起５８ａが内筒５６のカム溝５６ａの長・短の溝に嵌り込む位置が変化することにより、ノック棒５８前端が回転子５４を押圧位置が変化して、リフィル１４の筆記部１０が先軸４８先端から非突出状態・突出状態に切り替わる。
【００９６】
前記捩じり継手５２は、図１９に示すように、ゴム弾性材料からなり、概略環状で後端部に斜面が形成された方向に曲がった柱状部が複数、後方向きに延設されているものである。
【００９７】
第４実施形態では、口金５０が第３実施形態の口金４６と外観形状より長く形成されているが、硬質樹脂材料からなる本体５０ａが先後にわたり形成され、本体５０ａ内部に先端よりの箇所のゴム弾性材料からなるＯ（オー）リング等の環状弾性材５０ｂを配置したものである。
【００９８】
この第４実施形態の筆記具によれば、非筆記時には、図１４に示すようにリフィル１４が軸筒１６内に収まっている。リフィル１４の前方側(筆記部１０）は、未筆記時において軸筒１６内面と離間している。
【００９９】
そして、筆記をしようとするときには、ノックボタン６２へのノック操作によって、図１５に示すようにリフィル１４が軸筒１６内で先方に移動して、筆記部１０が口金５０先端から外部に突出した状態になる。
【０１００】
突出状態の筆記部１０は、口金５０先端開口との間に間隙がある。
【０１０１】
筆記時は、筆圧が加わりその筆記荷重によりリフィル１４の継手３８外周が口金５０内の環状弾性材５０ｂに当接した状態で、後端側の継手３８が口金５０内壁面との間に間隙を有するので、リフィル１４がしなるものである。具体的には、口金５０内で環状弾性材５０ｂと継手３８との間隙が口金５０内面と継手３８との間隙よりも狭いので、継手３８が先に軸筒１６先端の環状弾性材５０ｂに当たり、継手３８が口金５０内面に当たるまでしなる。
【０１０２】
したがって、第４実施形態の筆記具では、筆記時にリフィル１４がしなり好適な筆記感を与えることができる。
【０１０３】
また、前記捩じり継手５２は、図１９に示すように、ゴム弾性材料からなり、概略環状で後端部に斜面が形成された方向の柱状部が複数形成されているものであるので、筆記時に筆圧によってリフィル１４が後退する力で捩じり継手５２後端が捩じり継手受け６０に当接する力が加わり、捩じり継手５２の後端部の柱状部が倒れたり復帰したりすることにより、リフィル１４が回転する力が発生して、筆記中に筆記部１０が回転し、滑らかな書き味が実現できる。
【０１０４】
また、口金５０の本体５０ａが一体的に形成して、内部に環状弾性材５０ｂを装着すれば良いため、成形か簡単で標準品も使い易くコストダウンが図れる。
【０１０５】
（第５実施形態）
本発明の第５実施形態に係る筆記具について図２０〜図２１を参照して説明する。
【０１０６】
図２０は筆記具からキャップを外した状態の説明図、図２は該筆記具の捩じり継手の説明図である。
【０１０７】
第５実施形態に係る筆記具は、図２０に示すように、筆記部１０とインク収容部１２とを一体に設けたリフィル１４を軸筒１６内に収容し、非ノック式でキャップの着・脱で筆記部先端を覆う・露出する形式の筆記具に係るものである。キャップは周知のものであり、図２０では、図視していない。その他、第１実施形態等と同様箇所に同様符号を付している。
【０１０８】
第５実施形態に係る筆記具は、リフィル１４の前方側は、未筆記時においては軸筒１６先端の内面と離間し、一方、筆記時は筆記荷重により軸筒１６先端内面と当接するものである。
【０１０９】
詳しくは、先軸２０の先端の口金６８内に弾性体７０が装着され、リフィル１４の先端部に継手３８によって筆記部１０が中空の軸筒１６先端内周に当接するようにし、継手３８が先軸２０内周に支持され、筆記時の筆記荷重によってリフィル１４先端の当接する弾性体７０が変形してリフィル１４が前記継手３８を中心に曲がるようにしたものである。
【０１１０】
詳しくは、図２０に示すように、先軸２０が先部及び後部が外周に雄ネジが形成され、軸筒１６先端内周の雌ネジに先軸２０後部の雄ネジが螺合してネジ結合する。また、先軸２０先部を覆って先細の口金６８が後部の雌ネジが先軸２０の先部に螺合する。
【０１１１】
リフィル１４の筆記部１０は、ボールペンチップである。第５実施形態において、筆記部とインク収容部１２とを繋ぐ継手３８は、図２１に示すように、中央部が球状に形成された（球状部３８ａ）中空の軸状部材であり、筒状の先方部に内に筆記部１０の後端が挿入され、筒状の後方部がリフィルのインク収容部１２先端に挿入されてリフィル１４に一体化する。
【０１１２】
筆記具の組み付け状態では、図２０に示すように、口金６８で覆う先軸２０先端に前記継手３８の球状部３８ａが固定され、筆記部１０が口金６８先端の開口から突出し、かつ、口金６８内に装着されたゴム弾性材料からなるＯ（オー）リングからなる弾性体７０が継手３８の先方部の周囲に位置している。先軸２０の先端に球状側面に凹所が形成され、当該凹所に前記継手３８の球状部３８ａの後面側が嵌り込み、前面側が筒状の継手押さえ７２を介して口金６８内面で押さえ付けられている。リフィル１４の継手３８は、先軸２０内で継手３８中央部を中心に回動可能に設けられている。
【０１１３】
筆記時に、筆記荷重によってリフィル１４の継手３８の先方部が当接する弾性体７０が変形してリフィル１４が前記継手３８の中央部を中心に曲がるようにしたものである。
【０１１４】
曲がる際に弾性体７０やインク収容部１２の弾性力で、筆記時にリフィル１４がしなり好適な筆記感を与えることができる。
【０１１５】
リフィル１４は、先端の筆記部１０の外径よりも本体部のインク収容部１２の外径が大きく形成されている。リフィル１４の先端の筆記部１０はボールペンチップであり、リフィル１４の後端にノック棒２６が設けられた、ノック式ボールペンの筆記具となっている。
【０１１６】
（第６実施形態）
次に、本発明の第６実施形態に係る筆記具について、図２２〜図２４を参照して説明する。
【０１１７】
図２２は第６実施形態に係る筆記具のノック時の説明図、図２３は該筆記具の先軸の説明図、図２４は該筆記具の捩じり継手７４の説明図である。
【０１１８】
この第６実施形態に係る筆記具は、先軸２０と捩じり継手７４の構造が異なる以外は、第１実施形態の筆記具とほぼ同様であり、同様部分に同様符号を付している。
【０１１９】
この筆記具の先軸２０は、図２２、図２３に示すように、内部本体２０ａの先端部に周方向に沿う溝が複数形成されて、把持部１８のゴム弾性体が周方向の帯状部１８ａが形成され、かつ、把持部１８の後部に内部本体２０ａが露出するのぞき窓１８ｂが穿設されたものである。帯状の部分で先端握りの際の把持力が確実化する。また、のぞき窓１８ｂで内部本体２０ａを透明にすることにより、リフィル１４のインク収容部１２内のインク残量が容易に視認できる。
【０１２０】
捩じり継手７４は、ねじれる部分が２箇所形成されている。つまり、捩じり継手７４の後部では複数の腕部７４ａがややスパイラル状に形成される。腕部７４ａには、横断面に場所によって大小の部分があり横断面が小さい部分の強度が低いので曲がり易く、横断面の大小の設定で曲がり部分を調整でき、また曲がり形状でも曲がり具合を調整できる。捩じり継手７４の先方本体側にこの腕部７４ａに隣接して山形壁７４ｄが形成され、山形壁７４ｄが腕部７４ａの作動範囲を規制するストッパーの機能を有する構成になっている。
【０１２１】
前記腕部７４ａの後端に筒状部７４ｂが繋がりその筒状部７４ｂ後端部に複数の柱状部７４ｃが後方に延びて、柱状部７４ｃの後端が斜めにカットされている。
【０１２２】
筆記時に、筆記部１０に筆圧を加えたときにリフィル１４が後方に押圧されると、捩じり継手７４が後退し捩じり継手受け体３０先端に当たって、捩じり継手７４の回転駆動によってリフィル１４が回転し筆記部１０先端が滑らかな筆記感を得ることができる。
【０１２３】
特に、捩じり継手７４が腕部７４ａと筒状部７４ｂを介して柱状部７４ｃが回転方向に弾性変形するので、腕部や柱状部の一方のみの捩じり継手に比較してリフィル１４の回転方向ねじれが大きく、少しの筆圧で大きな回転量を得て、滑らかな書き味を得ることができる。
その他の作用は第１実施形態と同様である。
【０１２４】
（第７実施形態）
次に、本発明の第７実施形態に係る筆記具について図２５を参照して説明する。
【０１２５】
図２５は本発明の第７実施形態に係る筆記具の捩じり継手７６の説明図である。
【０１２６】
第７実施形態に係る筆記具は、前記捩じり継手７６が、図２５に示すように、長い円筒状のゴム弾性材料からなり、筒状の本体の後端部に斜面が形成されて方向に曲がった柱状部７６ａが複数後方向きに延設されているものである。
材質としては熱可塑性エラストマー、天然ゴム、合成ゴム、等を用いることができる。
【０１２７】
その他の筆記具の構成や作用は第１実施形態や第６実施形態と同様である。
【０１２８】
（第８実施形態）
次に、本発明の第８実施形態に係る筆記具について図２６を参照して説明する。
【０１２９】
図２６は本発明の第８実施形態に係る筆記具の捩じり継手の説明図である。
【０１３０】
第８実施形態に係る筆記具は、前記捩じり継手７８が、図２６に示すように、長い円筒状のゴム弾性材料からなり、筒状の本体７８ｂの後端部に斜面が形成されて捩じり方向に曲がった柱状部７８ａが複数後方向きに延設されている。そして、本体７８ｂの外周面に軸方向に沿う溝７８ｃが複数条形成されているものである。
【０１３１】
この捩じり継手７８は本体７８ｂの表面に溝７８ｃがあるので、本体７８ｂも捩じれ易く、後端の柱状部７８ａの捩じれと共に本体７８ｂも捩じれて、一層、書き味が向上する。
【０１３２】
その他の筆記具の構成や作用は第１実施形態や第６実施形態、第７実施形態と同様である。
（第９実施形態）
次に、本発明の第９実施形態に係る筆記具について図２７を参照して説明する。
【０１３３】
図２７は本発明の第９実施形態に係る筆記具の捩じり継手８０の説明図である。
【０１３４】
捩じり継手８０は、先後の筒状部間に捩じれる部分が形成されている。
【０１３５】
つまり、捩じり継手８０の後部では複数の腕部８０ａがややスパイラル状に形成され、この腕部８０ａによって後端の筒状部８０ｂが繋がったものである。腕部８０ａには、横断面に場所によって大小の部分があり横断面が小さい部分の強度が低いので曲がり易く、横断面の大小の設定で曲がり部分を調整でき、また曲がり形状でも曲がり具合を調整できる。腕部８０ａに隣接して山形壁８０ｃが形成され、この山形壁８０ｃが腕部８０ａの作動範囲を規制するストッパーの機能を有する構成になっている。筒状部８０ｂの後端面は、図２４に示した第６実施形態の捩じり継手と異なり、平坦に形成されている。
【０１３６】
その他の筆記具の構成や作用は第１実施形態や第６実施形態と同様である。
【０１３７】
（第１０実施形態）
次に、本発明の第１０実施形態に係る筆記具について図２８を参照して説明する。
【０１３８】
図２８は本発明の第１０実施形態に係る筆記具の捩じり継手の説明図である。
【０１３９】
捩じり継手８２は、先後の筒状部間に捩じれる部分が形成されている。
【０１４０】
捩じり継手８２の後部では複数の腕部８２ａがややスパイラル状に形成され、この腕部８２ａによって後端の筒状部８２ｂが繋がったものである。腕部８２ａには、横断面に場所によって大小の部分があり横断面が小さい部分の強度が低いので曲がり易く、横断面の大小の設定で曲がり部分を調整でき、また曲がり形状でも曲がり具合を調整できる。捩じり継手８２の筒状部８２ｂには、先方側向けてかつ腕部８２ａに隣接して棒状突起８２ｃが形成され、棒状突起８２ｃが腕部８２ａの作動範囲を規制するストッパーの機能を有する構成になっている。筒状部８２ｂの後端面は、図２７に示した第９実施形態に捩じり継手８０と同様に、平坦に形成されている。
【０１４１】
その他の筆記具の構成や作用は第１実施形態や第６実施形態と同様である。
【０１４２】
（第１１実施形態）
次に、本発明の第１１実施形態に係る筆記具について図２９を参照して説明する。
【０１４３】
図２９は本発明の第１１実施形態に係る筆記具の捩じり継手８４の説明図である。
【０１４４】
捩じり継手８４は、先後の筒状部間に捩じれる部分が形成されている。
すわなち、捩じり継手８４の後部では間隔を置いて複数（この実施形態では、４箇所）の比較的細い腕部８４ａがややスパイラル状に形成され、この腕部８４ａによって後端の筒状部８４ｂが繋がったものである。腕部８４ａには、横断面に場所によって大小の部分があり横断面が小さい部分の強度が低いので曲がり易く、横断面の大小の設定で曲がり部分を調整でき、また曲がり形状でも曲がり具合を調整できる。
【０１４５】
捩じり継手８４の本体と筒状部８４ｂとの間に、図２８に示した第１０実施形態の先方側向けの棒状突起が形成されていない。
【０１４６】
筒状部８２ｂの後端面は、図２７に示した第９実施形態に捩じり継手８０と同様に、平坦に形成されている。
【０１４７】
その他の筆記具の構成や作用は第１実施形態や第６実施形態と同様である。
【０１４８】
次に、第１２実施形態に係る筆記具について、図３０〜図３２を参照して説明する。
図３０は第１２実施形態に係る筆記具の全体説明図であって、(ａ)、（ｂ）がノック時（ｃ）、（ｄ）が非ノック時の説明図である。図３１は該筆記具の捩じり継手の説明図、図３２が捩じり継手に装着する回転駆動部の説明図である。
図３０〜図３２に示す第１２実施形態に係る筆記具では、第１実施形態と同様部分に同様符号を付している。
【０１４９】
この第１２実施形態に係る筆記具では、図３０〜図３２に示すように捩じり継手８６に別部材の回転駆動部８８を設けたものである。
つまり、捩じり継手８６は、図３１に示すように、硬質樹脂材製の中空筒状の本体の先端が平坦に形成され、該本体の後端にゴム弾性材からなる回転駆動部８８が設けられている。回転駆動部８８は、図３２に示すように、全体が外径よりも長さの短い概略管状であり、後端から櫛状に複数の柱部分が後方向きに突出形成されていて、各柱部分が径方向に対して斜めに傾いて形成された概略インペラー状の形状を呈している。この回転駆動部４０は、別成形であって、成型した捩じり継手２８の本体に嵌着や接着等で一体化したものである。
【０１５０】
第１２実施形態の筆記具によれば、非筆記時には、図３０（ｃ）、（ｄ）に示すようにリフィル１４が軸筒１６内に収まっている。筆記部１０が先端から外部に突出していない状態である。
そして、筆記をしようとするときには、ノック棒２６へノック操作によって、図３０（ａ）、（ｂ）に示すように、リフィル１４が軸筒１６内で先方に移動して、筆記部１０が先端から外部に突出した状態になる。
【０１５１】
図３０（ａ）、（ｂ）に示すように、突出した筆記部１０に筆圧を加えたときにリフィル１４が後方に押圧されると、捩じり継手８６が後退し回転駆動部８８の後端が平坦な捩じり継手受け体３０先端に当たり、該後端の柱状部分が周方向に倒れるように曲がることによって回転駆動部８８に回転駆動力が発生する。その回転駆動部８８に回転駆動力によって捩じり継手８６を介してリフィル１４が回転し筆記部１０先端が滑らかな筆記感を得ることができる。
その他は第１実施形態と同様の作用効果を奏する。
【０１５２】
ここで、本発明の原理を説明する。
図３３〜図３５は、リフィル１４がしなったり、回転したりすることによってスティックスリップが低減できる点を説明する図である。
【０１５３】
スティックスリップに関して、「摩擦のおはなし」（１９８５年田中久一郎著、財団法人日本規格協会発行）において「第２章  ９．  スティックスリップ現象（図２．２１参照）」に記載があるように、スプリングで支持した物体の滑り摩擦に関し、静摩擦が動摩擦より低い場合、スティックスリップが発生したときは、スティックスリップしないときに比較して摩擦が低減することが考えられる。
【０１５４】
筆記具で考えると、図３３の（ａ）に示すように、ボールペンチップからなる筆記部１０先端では、リフィルがしなってペン先が軸の角度が自由に動くことにより、ボール１０ａと受け座１０ｃとの間で荷重の掛かる点（荷重ポイントＰ）が移動し、ボール１０ａが止まらなくなる。インク膜が切れない、また、切れてもインクが荷重の荷重ポイントＰに入り込み易くなり、結局、滑らかの筆記感が得られるものである。
【０１５５】
スティックスリップ発生時の摩擦力を考える。図３３の（ｂ）に示すように、筆記荷重Ｆ、筆記荷重Ｆの垂直成分Ｆｓ、ボール受け座１０ｃの受け座摩擦力Ｆｔ、紙面の掛かる紙面摩擦力Ｆｐと間で、静止摩擦で、ボール受け座１０ｃのインク潤滑が切れたときに、その受け座摩擦力Ｆｔが上昇する。また、紙面に皮脂が付着したときには紙面摩擦力Ｆｐが減少する。
【０１５６】
受け座摩擦力Ｆｔ＞紙面摩擦力Ｆｐの条件でスティックスリップが発生する。
【０１５７】
リフィルの軸方向のみに弾性体で進退動する単純なクッションペンについて考える。
【０１５８】
図３４に示すように、軸方向へのクッションでボール１０ａと受け座１０ｃとの位置関係は変わらない。したがって、荷重の集中する点は変化しないため、回転が止まると静止荷重のみがかかりボール１０ａは動かなくなる。よって、スティックスリップによるスリップ低減効果は生じないと考えられる。
【０１５９】
これに対して、発明者は、ボール１０ａと受け座１０ｃとの間で荷重の係る点とを荷重の方向を変化させるのに、図３３に示す様に、筆記部１０を傾けるためにリフィル１４をしならせて曲げる以外の手法で、同様にスティックスリップの効果を得られるようにできないかを考察した。
【０１６０】
そこで、筆記中に摩擦を変化させるために、リフィルを回転させることを創案したものである。図３５に示すように、リフィルの回転によって、荷重ポイントＰが回転方向に変化し、スティックスリップ効果を得られると考えたものである。そして、回転運動させるのに、筆記荷重を捩じり運動に変換する構成を、筆圧のオンオフで回転させるのではなく、荷重の変化量と比例するようにリフィルを回転させる機構を創案したものである。
【０１６１】
具体的には、上記の図４に示した第１実施形態の捩じり継手２８、図１９に示した第４実施形態の捩じり継手５２、図２４〜図３２に示した第６実施形態〜第１２実施形態に示した各捩じり継手を構成したものである。
【０１６２】
これらの捩じり継手によって図３５に示した周方向の荷重ポイントＰの移動が軸周りに移動して、スティックスリップ効果が得られたものである。
【０１６３】
図３６にスティックスリップの低減効果の評価を示す。
【０１６４】
詳しくは、図３６は、従来品及び実施形態に係る各リフィルを用いた各ボールペンの筆記具によって、人口皮脂を塗布（塗布部分を符号Ｒの破線で示す）した紙面上で筆記した各軌跡の図とその拡大図を示すものである。図３６の（ａ）は筆記部が動かない従来品Ａ、（ｂ）は第１〜第６実施形態品のリフィルが曲がり前記図３３（ａ）のような動作をするもの、（ｃ）は前記図３４のようにリフィルが進退動する従来品Ｂ、（ｄ）が第６、第９〜図１２実施形態品、（ｅ）が第１、第４、第６〜第８実施形態品の各筆記軌跡の説明図である。
【０１６５】
従来品Ａ、従来品Ｂでは、図３６（ａ）、（ｃ）に示すように、筆記軌跡が途切れているが、図３６（ｂ）、（ｄ）、（ｅ）に示す本発明の実施形態に係るものでは、筆記軌跡が途切れていない。したがって、本発明の構成によって、リフィルの筆記部にスティックスリップが発生せず途切れの無い美しい筆跡が得られることが明確に理解される。
【産業上の利用可能性】
【０１６６】
本発明の筆記具は、ボールペンの筆記チップのリフィルを用いた筆記具に好適であるが、繊維芯成形芯等の各種筆記具のリフィルに利用することができる。
【符号の説明】
【０１６７】
１０  筆記部
１０ａ  ボール
１０ｂ  内装スプリング
１０ｃ  ボール受け座
１２  インク収容部
１４  リフィル
１６  軸筒
１８  把持部
２０  先軸
２２  後軸
２４  リフィル用のスプリング
２６  ノック棒
２８  捩じり継手（第１実施形態）
３０  捩じり継手受け体
３２  内筒
３４  回転子
３６  ノック機構用のスプリング
３８  リフィルの継手
３８ａ  球状部
４０  捩じり継手の回転駆動部（第１実施形態）
４２  口金（第２実施形態）
４６  口金（第３実施形態）
４６ａ  本体
４６ｂ  環状弾性材
４６ｃ  リブ
４８  先軸
５０  口金（第４実施形態）
５０ａ  本体
５０ｂ  環状弾性材
５２  捩じり継手（第４実施形態）
６８  口金（第５実施形態）
７０  弾性体
７４  ねじり継手（第６実施形態）
７４ａ  腕部
７４ｂ  筒状部
７４ｃ  柱状部
７４ｄ  山形壁
７６  捩じり継手（第７実施形態）
７６ａ  柱状部
７８  継手（第８実施形態）
７８ａ  柱状部
７８ｂ  本体
７８ｃ  外周の溝
８０  捩じり継手（第９実施形態）
８０ａ  腕部
８０ｂ  筒状部
８０ｃ  山形壁
８２  捩じり継手（第１０実施形態）
８２ａ  腕部
８２ｂ  筒状部
８２ｃ  棒状突起
８４  捩じり継手（第１１実施形態）
８４ａ  腕部
８４ｂ  筒状部
８６  捩じり継手（第１２実施形態）
８８  回転駆動部
Ｆ  筆記荷重
Ｆｐ  紙面摩擦力
Ｆｓ  垂直成分
Ｆｔ  受け座摩擦力
Ｐ  荷重ポイント
【図１】
2014205239.tif 000003
【図２】
2014205239.tif 000004
【図３】
2014205239.tif 000005
【図４】
2014205239.tif 000006
【図５】
2014205239.tif 000007
【図６】
2014205239.tif 000008
【図７】
2014205239.tif 000009
【図８】
2014205239.tif 000010
【図９】
2014205239.tif 000011
【図１０】
2014205239.tif 000012
【図１１】
2014205239.tif 000013
【図１２】
2014205239.tif 000014
【図１３】
2014205239.tif 000015
【図１４】
2014205239.tif 000016
【図１５】
2014205239.tif 000017
【図１６】
2014205239.tif 000018
【図１７】
2014205239.tif 000019
【図１８】
2014205239.tif 000020
【図１９】
2014205239.tif 000021
【図２０】
2014205239.tif 000022
【図２１】
2014205239.tif 000023
【図２２】
2014205239.tif 000024
【図２３】
2014205239.tif 000025
【図２４】
2014205239.tif 000026
【図２５】
2014205239.tif 000027
【図２６】
2014205239.tif 000028
【図２７】
2014205239.tif 000029
【図２８】
2014205239.tif 000030
【図２９】
2014205239.tif 000031
【図３０】
2014205239.tif 000032
【図３１】
2014205239.tif 000033
【図３２】
2014205239.tif 000034
【図３３】
2014205239.tif 000035
【図３４】
2014205239.tif 000036
【図３５】
2014205239.tif 000037
【図３６】
2014205239.tif 000038